【手続補正書】
【提出日】平成28年2月16日(2016.2.16)
【手続補正１】
【補正対象書類名】特許請求の範囲
【補正対象項目名】全文
【補正方法】変更
【補正の内容】
【特許請求の範囲】
【請求項１】
可搬記憶媒体を接続することが可能なデバイス装置であって、
前記可搬記憶媒体から、ファームウェア、アプリケーション、及び設定値を含む設定データと、ファームウェアのインストール、アプリケーションのインストール、及び設定値設定に関する複数の工程を指定された実行順序で実行するスクリプトとを取得する取得手段と、
前記可搬記憶媒体から、設置ソフトウェアを取得し、前記デバイス装置に、前記設置ソフトウェアをインストールするインストール手段と、
前記インストールされた設置ソフトウェアと、前記可搬記憶媒体から取得した設定データと、前記可搬記憶媒体から取得したスクリプトとを用いて、前記ファームウェアのインストール、前記アプリケーションのインストール、及び前記設定値の設定に関する複数の工程を指定された実行順序で実行する実行手段と、を備える
ことを特徴とするデバイス装置。
【請求項２】
前記スクリプトを前記可搬記憶媒体に保存させる保存制御手段、を備え、
前記保存制御手段は、前記可搬記憶媒体が前記デバイス装置に接続された際に前記スクリプトが前記可搬記憶媒体に保存されていない場合に、前記スクリプトを生成して前記可搬記憶媒体に保存させる
ことを特徴とする請求項１に記載のデバイス装置。
【請求項３】
前記スクリプトには、少なくとも前記スクリプトを生成したデバイス装置の識別情報が含まれており、
前記保存制御手段は、前記可搬記憶媒体が前記デバイス装置に接続された際に前記スクリプトが前記可搬記憶媒体に保存されている場合であって、前記スクリプトに含まれるデバイス装置の識別情報が前記接続されたデバイス装置の識別情報と一致するときに、前記スクリプトの前記可搬記憶媒体への保存を再開する
ことを特徴とする請求項２に記載のデバイス装置。
【請求項４】
前記保存制御手段は、
前記スクリプトを前記可搬記憶媒体に初めて保存させる時に、所定のファイル情報を生成してファイル記憶手段に記憶し、
前記スクリプトの前記可搬記憶媒体への保存の再開時に、前記ファイル記憶手段に前記ファイル情報があるかを判断し、
前記ファイル記憶手段に前記ファイル情報がない場合に、前記ファイル記憶手段が初期化されたと判断して、前記ファイル記憶手段を初期化する工程を前記スクリプトに設定する
ことを特徴とする請求項２または請求項３に記載のデバイス装置。
【請求項５】
前記保存制御手段は、前記ファイル記憶手段に前記ファイル情報がある場合に、前記デバイス装置が再起動されたと判断して、前記デバイス装置を再起動する工程を前記スクリプトに設定する
ことを特徴とする請求項４に記載のデバイス装置。
【請求項６】
前記実行手段は、前記可搬記憶媒体が前記デバイス装置に接続された際に前記スクリプトが前記可搬記憶媒体に保存されている場合であって、前記スクリプトに含まれるデバイス装置の識別情報が前記接続されたデバイス装置の識別情報と一致しないときに、前記スクリプトに従い前記ファームウェアのインストール、前記アプリケーションのインストール、及び前記設定値の設定に関する複数の工程を指定された実行順序で実行する
ことを特徴とする請求項１乃至５のいずれか１項に記載のデバイス装置。
【請求項７】
前記スクリプトには、少なくとも前記スクリプトを生成したデバイス装置のモデル名が含まれており、
前記実行手段は、
前記スクリプトに含まれるデバイス装置の識別情報が前記接続されたデバイス装置の識別情報と一致しないときに、前記接続されたデバイス装置のモデル名が前記スクリプトに含まれるモデル名と一致するかを判断し、
前記接続されたデバイス装置のモデル名が前記スクリプトに含まれるモデル名と一致しない場合に、警告情報を出力する
ことを特徴とする請求項６に記載のデバイス装置。
【請求項８】
前記デバイス装置の状態の変化と前記ファームウェアのインストール、前記アプリケーションのインストール、及び前記設定値の設定における工程とが紐付けられて予め記憶された工程記憶手段を備え、
前記保存制御手段は、前記デバイス装置の状態が変化した場合に、前記状態の変化に紐付く前記工程を前記工程記憶手段から取得して前記スクリプトに設定する
ことを特徴とする請求項２乃至７のいずれか１項に記載のデバイス装置。
【請求項９】
前記スクリプトには、前記複数の工程それぞれを特定する情報と、各工程を実行する順番を示す情報とが含まれる
ことを特徴とする請求項１乃至８のいずれか１項に記載のデバイス装置。
【請求項１０】
前記実行手段は、前記ファームウェアのインストール、前記アプリケーションのインストール、及び前記設定値の設定中に前記デバイス装置が再起動した場合に、前記スクリプトに含まれる前記各工程を実行する順番を示す作業順番を示す情報を参照して、前記工程の再開位置を特定する
ことを特徴とする請求項９に記載のデバイス装置。
【請求項１１】
可搬記憶媒体を接続することが可能なデバイス装置の制御方法であって、
前記可搬記憶媒体から、ファームウェア、アプリケーション、及び設定値を含む設定データと、ファームウェアのインストール、アプリケーションのインストール、及び設定値設定に関する複数の工程を指定された実行順序で実行するスクリプトとを取得する取得工程と、
前記可搬記憶媒体から、設置ソフトウェアを取得し、前記デバイス装置に、前記設置ソフトウェアをインストールするインストール工程と、
前記インストールされた設置ソフトウェアと、前記可搬記憶媒体から取得した設定データと、前記可搬記憶媒体から取得したスクリプトとを用いて、前記ファームウェアのインストール、前記アプリケーションのインストール、及び前記設定値の設定に関する複数の工程を指定された実行順序で実行する実行工程と、を有する
ことを特徴とする制御方法。
【請求項１２】
請求項１１に記載のデバイス装置の制御方法をコンピュータに実行させることを特徴とするコンピュータプログラム。
【手続補正２】
【補正対象書類名】明細書
【補正対象項目名】０００８
【補正方法】変更
【補正の内容】
【０００８】
本発明は、上記の課題の少なくとも一つを解決するためになされたものである。本発明は、設置現場に設定情報管理装置を持ち込まなくても、画像形成装置を自動設定することを可能とする仕組みの提供を目的とする。
【手続補正３】
【補正対象書類名】明細書
【補正対象項目名】０００９
【補正方法】変更
【補正の内容】
【０００９】
本発明の一実施形態のデバイス装置は、可搬記憶媒体を接続することが可能なデバイス装置であって、前記可搬記憶媒体から、ファームウェア、アプリケーション、及び設定値を含む設定データと、ファームウェアのインストール、アプリケーションのインストール、及び設定値設定に関する複数の工程を指定された実行順序で実行するスクリプトとを取得する取得手段と、前記可搬記憶媒体から、設置ソフトウェアを取得し、前記デバイス装置に、前記設置ソフトウェアをインストールするインストール手段と、前記インストールされた設置ソフトウェアと、前記可搬記憶媒体から取得した設定データと、前記可搬記憶媒体から取得したスクリプトとを用いて、前記ファームウェアのインストール、前記アプリケーションのインストール、及び前記設定値の設定に関する複数の工程を指定された実行順序で実行する実行手段と、を備える。
【手続補正４】
【補正対象書類名】明細書
【補正対象項目名】００１０
【補正方法】変更
【補正の内容】
【００１０】
本発明のデバイス装置によれば、設置現場に設定情報管理装置を持ち込まなくても、画像形成装置を自動設定することができる。
【手続補正５】
【補正対象書類名】明細書
【補正対象項目名】０１２３
【補正方法】変更
【補正の内容】
【０１２３】
（その他の実施例）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。この場合、そのプログラム、及び該プログラムを記憶した記憶媒体は本発明を構成することになる。
上記説明した実施例によれば、設置現場にエディタツールや設定情報管理装置がない場合でも、１台目のデバイス装置の設置作業に従って、２台目以降のデバイス装置を自動設定することが可能となる。したがって、デバイス装置の設置性が向上し、設置担当者の負荷を軽減することができる。